(57)【要約】      （修正有）【課題】下段の足場板上から上段の足場板周囲に安全に手摺を設置、或いは取り外しが可能な上、上段の足場を増設した後でも下段の足場の手摺だけを簡単に脱着することのできる枠組足場用手摺を提供する。【解決手段】手摺は、水平材２と、この水平材２の両端部に回動自在に軸支した一対の斜材とから成る。水平材２の両端には、Ｈ型建枠の脚柱上端部に嵌着する連結ジョイントに対し上方から挿入可能なように略リング形状の取付片５を取着する。該取付片５は略半リング形状をした主係止部６と従係止部７とから成り、水平材２に基端部を固着した主係止部６の先端部と、従係止部７の一端部とを軸体１０にて軸着して従係止部７を開閉自在とし、従係止部７を閉じるとその遊端部に穿設した透孔１１に合致させて係止ピン１２をスプリング１４により出没させて従係止部７を固定・解除自在とし、手摺を簡単に脱着できるようにしている。【選択図】図２
2008063841.tif 000002
【特許請求の範囲】
【請求項１】
Ｈ型建枠を上方向並びに水平方向に所望数配置して組み上げる枠組足場において隣接するＨ型建枠の脚柱間に掛け渡す手摺であって、水平材と、該水平材の両端部付近にそれぞれ回動自在に軸支した一対の斜材とから成り、前記水平材の両端部にはＨ型建枠の脚柱上端部に嵌着した連結ジョイントに対し上方から挿入可能な略リング形状の取付片を取着すると共に、該取付片は略半リング形状をした主係止部と、従係止部とから成り、水平材に基端部を固着した主係止部の先端部と、従係止部の一端部とを軸体にて軸着して従係止部を開閉自在とし、従係止部を閉じるとその遊端部に穿設した透孔に合致させて係止ピンをスプリングにより出没させて従係止部を水平材に固定・解除自在とする一方、前記斜材の遊端部には対向側の脚柱側面に突設した筋交いピンに挿入するピン孔を穿設したことを特徴とする枠組足場用手摺。
【発明の詳細な説明】
【技術分野】
【０００１】
本発明は、土木、建築などの工事現場において、建築物の外壁などに沿って設置する枠組足場に取り付けられる枠組足場用手摺に関し、特にＨ型建枠から成る枠組足場に取り付けられる手摺に関する。
【背景技術】
【０００２】
従来より枠組足場用の建枠としては鳥居形状をした建枠がよく知られているが、最近では脚柱の中央部付近を横架材で接合して略Ｈ形状としたＨ型建枠も多く使用されており、このＨ型建枠を用いて枠組足場を組み上げる時には、隣接する各建枠の中央高さ位置にある横架材同士に足場板を掛け渡すと共に、この足場板を境として上下位置に筋交いをそれぞれ取り付ける構成としている。したがって、枠組足場の組み上げ、或いは解体の途中であっても、枠組足場の最上階部分の足場板周囲には必ずＨ型建枠の脚柱上部が突出しているため、手摺柱などを別途設置せずとも前記脚柱へ筋交いや手摺材などを取り付ければ迅速かつ容易に手摺を設置することができ、危険を伴う枠組足場の最上階部分での作業の安全性を早期に確保することができる。
【０００３】
ところが、Ｈ型建枠を採用して上記のように枠組足場の最上階部分に手摺を設置、或いは取り外すとしても、これらの作業は周囲に手摺のない状態で行われるため、結局その間は作業者に危険な作業を強いることになり、作業安全上問題がないとは言えないものであった。
【０００４】
そこで、こうした問題を解消するために、水平材と、該水平材の両端部付近にそれぞれ回動自在に軸支した一対の斜材とから成り、前記水平材の両端部にはＨ型建枠の脚柱上端部に嵌着した連結ジョイントに挿入可能な透孔を穿設した取付片を取着する一方、前記斜材の遊端部には対向側の脚柱側面に突設した筋交いピンに挿入するピン孔を穿設した枠組足場用手摺がある（特許文献１）。そして、この手摺によれば、作業者は安全な下段の足場板上から上段の足場板周囲に手摺を先行させて設置、或いは取り外すことが可能となり、枠組足場の組み上げ、或いは解体作業時における作業者の安全を確実に確保することができる。
【特許文献１】特開２００５−４２４５２号公報
【発明の開示】
【発明が解決しようとする課題】
【０００５】
しかしながら、特許文献１の手摺では、前記のように、連結ジョイントに対しその上方から取付片の透孔を挿入して手摺を取り付けた後、更にその上位へ建枠を連結して足場を増設した場合、その建枠を残した状態で手摺だけを取り外すことが不可能な構造であるため、例えば、組み上げ後の枠組足場の側方に階段などを新たに設置しようとしても、その部分の手摺を取り外して通路用の空間を確保するといったことができないものであった。
【０００６】
本発明は上記の点に鑑み、下段の足場板上から上段の足場板周囲に安全に手摺を設置、或いは取り外しが可能な上、上段の足場を増設した後でも下段の足場の手摺だけを簡単に脱着することのできる枠組足場用手摺を提供することを課題とする。
【課題を解決するための手段】
【０００７】
上記の課題を解決するために、本発明の枠組足場用手摺にあっては、Ｈ型建枠を上方向並びに水平方向に所望数配置して組み上げる枠組足場において隣接するＨ型建枠の脚柱間に掛け渡す手摺であって、水平材と、該水平材の両端部付近にそれぞれ回動自在に軸支した一対の斜材とから成り、前記水平材の両端部にはＨ型建枠の脚柱上端部に嵌着した連結ジョイントに対し上方から挿入可能な略リング形状の取付片を取着すると共に、該取付片は略半リング形状をした主係止部と、従係止部とから成り、水平材に基端部を固着した主係止部の先端部と、従係止部の一端部とを軸体にて軸着して従係止部を開閉自在とし、従係止部を閉じるとその遊端部に穿設した透孔に合致させて係止ピンをスプリングにより出没させて従係止部を水平材に固定・解除自在とする一方、前記斜材の遊端部には対向側の脚柱側面に突設した筋交いピンに挿入するピン孔を穿設したことを特徴としている。
【発明の効果】
【０００８】
本発明に係る枠組足場用手摺によれば、Ｈ型建枠を上方向並びに水平方向に所望数配置して組み上げる枠組足場において隣接するＨ型建枠の脚柱間に掛け渡す手摺であって、水平材と、該水平材の両端部付近にそれぞれ回動自在に軸支した一対の斜材とから成り、前記水平材の両端部にはＨ型建枠の脚柱上端部に嵌着した連結ジョイントに対し上方から挿入可能な略リング形状の取付片を取着すると共に、該取付片は略半リング形状をした主係止部と、従係止部とから成り、水平材に基端部を固着した主係止部の先端部と、従係止部の一端部とを軸体にて軸着して従係止部を開閉自在とし、従係止部を閉じるとその遊端部に穿設した透孔に合致させて係止ピンをスプリングにより出没させて従係止部を水平材に固定・解除自在とする一方、前記斜材の遊端部には対向側の脚柱側面に突設した筋交いピンに挿入するピン孔を穿設したので、作業者は安全な下段の足場板上にいながら手摺を持ち上げて上段の足場板周囲に手摺を設置、或いは取り外すことが可能であり、作業者の安全を十分に確保できると共に、上段に足場を組んだ後でも下段の足場の手摺だけを簡単に着脱でき、組み上げた枠組足場に対して階段などを新たに設置するような場合にも、その部分の手摺を簡単に取り外して作業通路を確保することができる。
【発明を実施するための最良の形態】
【０００９】
本発明に係わる枠組足場用手摺によれば、手摺本体を、水平材と、該水平材の両端部付近にそれぞれ回動自在に軸支した一対の斜材とから構成している。前記水平材の両端部には、Ｈ型建枠の脚柱上端部に嵌着した連結ジョイントに対し、その上方から挿入可能な略リング形状に形成した取付片を取着しており、該取付片は前記連結ジョイントに対し、その側方からも着脱操作可能なように、略半リング形状をした主係止部と、従係止部とから成り、水平材に基端部を固着した主係止部の先端部と、従係止部の一端部とを軸体にて軸着して従係止部を開閉自在としている。そして、従係止部を閉じるとその遊端部に穿設した透孔に合致させて係止ピンをスプリングにより出没させて従係止部を水平材に固定・解除自在としている。また、前記斜材の遊端部には、対向側の建枠の脚柱側面に突設した筋交いピンに挿入するピン孔を穿設している。
【００１０】
そして、Ｈ型建枠から成る枠組足場を上方向へ組み上げていく際などに、枠組足場の最上階部分の周囲に先行して手摺を設置する場合には、作業者は一段下の安全な足場板上にいながら、先ず手摺の一対の斜材を水平材に対してそれぞれ略直交方向に回動させた後、各斜材の遊端部をそれぞれ左右の手に持って持ち上げ、水平材を最上階に突出しているＨ型建枠の脚柱の上位へ位置させる。そして、水平材の両端部の略リング形状の取付片を脚柱上端部に嵌着した連結ジョイント上位に臨ませ、そのまま下方へ下ろして連結ジョイントに挿入させる。
【００１１】
ここで、前記連結ジョイントには上位の建枠を連結固定するロックピンがあり、該ロックピンをロック解除状態として鍵形状の係止部を下方向へ回動させて回避させておけば、連結ジョイントへ挿入させた水平材の取付片はロックピンの水平棒体部分の上面に引っ掛かって止まる。次に、水平材をその状態のまま維持させながら斜材を回動させ、その遊端部に穿設したピン孔を対向側の脚柱側面に突設した筋交いピンに挿入させて固定する。そして、上段の隣接するＨ型建枠の横架材間に足場板を架設し、作業者はこの最上階の足場板上へと上がると、最上階の足場板周囲には既に手摺が設置された状態となっていて作業安全上の問題はない。
【００１２】
また、枠組足場を解体する場合には、上記手順を逆に行うこととなり、作業者は、枠組足場の最上階部分の周囲に手摺が設置されている状態で、下段の足場板上に降り、最上段に架設していた足場板を取り外す。続いて、各斜材の遊端部のピン孔と筋交いピンとの係止を解除し、各斜材を水平材に対してそれぞれ直交方向へ回動させた後、各斜材の遊端部を左右の手で持って上方へ持ち上げ、水平材両端の取付片を連結ジョイントから抜き出して手摺の取り外しを完了する。
【００１３】
また、組み上げた枠組足場に対して、例えば階段などを新たに設置する場合には、先ず枠組足場の側面部の所望位置にクランプなどで階段上端部を固定する。そして、階段用の通路を確保するためにその部分に取り付けている手摺を取り外す際には、手摺の各斜材のピン孔と筋交いピンとの係止を解除する。そして、取付片の従係止部を係止固定する係止ピンをスプリングに抗して抜き出して係止を解除してから従係止部を開く方向に回動して取付片を開放状態とした後、手摺を側方へと引き出すようにして枠組足場より取り外し、階段用の通路を確保する。
【００１４】
このように、作業者は安全な下段の足場板上から上段の足場板周囲に手摺を先行させて設置、或いは取り外すことができ、枠組足場の組み上げ、或いは解体作業時における作業者の安全を確保できる。また、枠組足場を組み終えた後からでも手摺だけを簡単に着脱できるため、枠組足場に対して階段などを新たに設置するような場合にも、その部分の手摺だけを取り外して作業通路を確保するといったことが可能である。
【実施例】
【００１５】
以下、本発明の実施例を図面に基づいて説明する。
【００１６】
図１乃至図３は、本発明に係る手摺を説明する図である。手摺１は、図１に示すように、所定長さの鋼製の水平材２と、該水平材２の両端部付近にピン３にて回動自在に軸支した一対の鋼製の斜材４とから成り、前記水平材２の両端部には上下方向に開口した略リング形状の取付片５を備え、そのリング部分の内径は後述する連結ジョイントの外径よりも若干大きく形成し、連結ジョイントに対しその上方から挿入可能としている。
【００１７】
前記取付片５は、図２に示すように、略半リング形状をした主係止部６と、従係止部７とから成り、主係止部６は水平材２に固着した断面略Ｕ形状の支持材８の隙間に一端部を挟み込んで軸体９を貫通させて軸支されている。また、主係止部６の先端部と従係止部７の一端部とを軸体１０にて軸着して従係止部７を図２（ａ）の二点鎖線で示すように開閉自在とすると共に、従係止部７を閉じるとその遊端部に穿設した透孔１１に合致させて係止ピン１２を挿入して固定するようにしている。
【００１８】
図３（ａ）は図２（ａ）のＸ−Ｘ線断面図であり、主係止部６を軸支する軸体９と従係止部７を係止する係止ピン１２のそれぞれの上端部は連結片１３に固着されて一体となしている。そして、主係止部６を軸支する軸体９の下端部にはスプリング１４を装着してピン１５にて抜け止めし、支持材８に固着した筒体１６にてスプリング１４を保護している。
【００１９】
図３（ｂ）は、主係止部６を軸支する軸体９をスプリング１４の復元力に抗して押し上げた状態を示すもので、軸体９を押し上げると従係止部７を係止する係止ピン１２も一緒に上昇し、従係止部７の係止が解除されることとなる。これによって、従係止部７は、図２（ａ）の二点鎖線で示すように開くことができる。また、従係止部７を元の係止状態に戻すときは、軸体９を押し上げた状態で従係止部７を閉じてから軸体９から手を離すと、スプリング１４の復元力にて係止ピン１２が下降して従係止部７遊端部の透孔１１に挿入されて係止状態となる。
【００２０】
また、前記斜材４は、その遊端部に建枠の脚柱側面に突設した筋交いピンに挿入するピン孔１７を穿設しており、手摺１を取り付けるときには、それぞれの斜材４の下部を両手で持ちながら手摺１を高く持ち上げて建枠脚柱の連結ジョイントに水平材２の両端部の略リング形状の取付片５を挿入することによって行う。
【００２１】
次に、上記手摺１を枠組足場Ａに取り付ける方法を図４乃至図６に基づいて説明する。枠組足場Ａを構成するＨ型建枠Ｂは、一対の脚柱Ｃを平行に備え、各脚柱Ｃの中央部付近を横架材Ｄで接合して略Ｈ形状に形成したものであり、脚柱Ｃの上端部にはＨ型建枠Ｂ同士を上下に連結するための連結ジョイントＥを嵌着している。そして、一対のＨ型建枠Ｂを対向して立設し、隣接するＨ型建枠Ｂの横架材Ｄ同士へ足場板Ｆを架設させて枠組足場Ａを形成している。
【００２２】
そして、隣接するＨ型建枠Ｂの各脚柱Ｃ間に安全確保のための手摺１を掛け渡すときには、作業者は、手摺１の斜材４を水平材２に対して略直交方向へ回動し、図４の二点鎖線で示す各斜材４の下端部をそれぞれ左右の手に持って下段の足場板Ｆ（図示せず）にいながら持ち上げ、水平材２をＨ型建枠Ｂの脚柱Ｃの上位へ位置させ、水平材２の両端に備えた取付片５のリング部分を脚柱Ｃ上端部の連結ジョイントＥ上位に臨ませる。このとき、取付片５は、主係止部６と従係止部７とを閉じてリング部を形成させた状態としている。そして、この水平材２をそのまま水平状態を保ちながら下方向へ下ろしていき、水平材２両端の取付片５を連結ジョイントＥに挿入させる。このとき、連結ジョイントＥのロックピンＧは図５に示すようにロック解除状態としており、挿入した取付片５はロックピンＧに引っ掛かって止まる。
【００２３】
続いて、この状態で各斜材４を回動させ、遊端部のピン孔１７をそれぞれ対向側の脚柱Ｃ側面の筋交いピンＨに挿入して固定する。そして、上段の隣接するＨ型建枠Ｂの横架材Ｄ間に足場板Ｆを架設した後、作業者は最上階へ上がる。このとき、最上階の足場板Ｆ周囲には手摺１が先行して設置できていて作業者はあまり恐怖感を憶えるようなことはない。そして、図６に示すように、ロックピンＧの係止部Ｇａを二点鎖線で示す係止位置に戻してロック状態とすればロックピンＧの側部が従係止部７に形成した窪みに収まって手摺１を固定できる。なお、引き続いてこの上段に足場を組み上げていく場合には、上段のＨ型建枠Ｂを装着後にロックピンＧの係止部Ｇａを操作してロック状態とし、上記と同様の作業を繰り返していくことになる。また、枠組足場Ａを解体していく場合には、上記と逆の手順で作業を行えばよく、安全に作業を行うことができる。
【００２４】
このように、作業者は安全な下段の足場板上から上段の足場板周囲に先行して手摺１を設置、或いは取り外すことができ、作業者の安全を確保できる。
【００２５】
また、前記手順に従って組み上げた枠組足場Ａに対し、例えば、仮設の階段などを新たに設置する場合には、先ず枠組足場Ａの側面部の所望位置にクランプなどで階段上端部を固定する。そして、この階段用の通路を確保するため、階段を設置した部分に取り付けている手摺１を取り外す際には、図２に示す取付片５の主係止部６を軸支する軸体９をスプリング１４の復元力に抗して押し上げる。これによって図３（ｂ）に示すように、従係止部７を係止する係止ピン１２も一緒に上昇し、従係止部７の係止が解除されて連結ジョイントＥに挿入して固定していたリング部分を開放状態とできる。そして、手摺１を側方へと引き出すようにして手摺１を枠組足場Ａより取り外し、階段用の通路を確保する。なお、上記作業手順と逆の手順を行うことで、一旦取り外した手摺１を連結ジョイントＥに再度固定して設置することもできる。
【００２６】
このように、手摺１の取付片５は、軸体９をスプリング１４の復元力に抗して押し上げるだけで取り外せ、枠組足場Ａを組み終えた後からでも下段側の足場の手摺１だけを簡単に取り外すことができ、枠組足場Ａに対して階段や連絡路などを新たに設置するような場合にも、その上段側のＨ型建枠Ｂなどを取り外さずに手摺１だけを取り外して作業通路を確保することができる。
【図面の簡単な説明】
【００２７】
【図１】本発明に係る枠組足場用手摺の平面図（ａ）と正面図（ｂ）である。
【図２】図１の取付片を拡大した平面図（ａ）と一部切り欠きした正面図（ｂ）である。
【図３】図１のＸ−Ｘ線切断断面図（ａ）と係止ピンを上昇させたときのＸ−Ｘ線切断断面図（ｂ）である。
【図４】図１の手摺を枠組足場に取り付けた状態を説明する図である。
【図５】図４の手摺の取付片と連結ジョイントの連結部の拡大図である。
【図６】図５のＹ−Ｙ矢視図である。
【符号の説明】
【００２８】
１…手摺                      ２…水平材
４…斜材                      ５…取付片
６…主係止部                  ７…従係止部
８…支持材                    ９…軸体
１０…軸体                    １１…透孔
１２…係止ピン                １３…連結片
１４…スプリング              １５…ピン
１６…筒体
Ａ…枠組足場                  Ｂ…Ｈ型建枠
Ｃ…脚柱                      Ｄ…横架材
Ｅ…連結ジョイント            Ｆ…足場板
Ｇ…ロックピン                Ｈ…筋交いピン
【図１】
2008063841.tif 000003
【図２】
2008063841.tif 000004
【図３】
2008063841.tif 000005
【図４】
2008063841.tif 000006
【図５】
2008063841.tif 000007
【図６】
2008063841.tif 000008